(57)【要約】【課題】撮影終了直後に撮影確認画像を第１または第２の表示部に表示するにあたって、撮影状況にあったレックビュー表示が可能な撮影装置を提供する。【解決手段】撮像部が出力する画像データに基づいて表示し、接眼部３８を通して観察可能な電子ファインダ４１と、撮像部が出力する画像データに基づいて表示し、接眼部３８を通さずに観察可能な背面ＬＣＤ３９と、電子ファインダ４１における表示を撮影者が観察しているか否かを検出するアイセンサ３５３を有し、アイセンサ３５３によって電子ファインダ４１を観察していることを検出した場合は、レックビューを電子ファインダ４１にＥＶＦタイマの時間、表示し（＃８７→＃８９→＃９３）、一方、電子ファインダ４１を観察していないことを検出した場合は、レックビューを背面ＬＣＤ３９にＬＣＤタイマの時間、表示する（＃８７→＃８９→＃９１、＃８７→＃１０３→＃１０５→＃１０７）。【選択図】  図６
2013162267.tif 000002
【特許請求の範囲】
【請求項１】
被写体像を取り込んで画像データとして出力する撮像部と、
上記撮像部が出力する上記画像データに基づいて表示し、接眼部を通して観察可能な第１の表示部と、
上記撮像部が出力する上記画像データに基づいて表示し、上記接眼部を通さずに観察可能な第２の表示部と、
上記第１の表示部における表示を撮影者が観察しているか否かを検出する検出部と、
上記検出部の検出出力に応じて、上記第１の表示部と上記第２の表示部のいずれか一方をオンにし、他方をオフにする切換部と、
上記撮像部と、上記第１の表示部または上記第２の表示部と、を連続駆動してライブビュー表示を行うライブビュー表示部と、
上記第１の表示部を用いてライブビュー表示中に撮影動作を行った場合は、撮影確認画像を上記第１の表示部に第１の時間、表示するように制御し、一方、上記第２の表示部を用いてライブビュー表示中に撮影動作を行った場合は、撮影確認画像を上記第２の表示部に第２の時間、表示するように制御する制御部と、
を具備することを特徴とする撮影装置。
【請求項２】
上記第１の時間は上記第２の時間より短いことを特徴とする請求項１に記載の撮影装置。
【請求項３】
上記第１の時間はゼロとし、上記第１の表示部には撮影確認を表示しないことを特徴とする請求項１または２に記載の撮影装置。
【請求項４】
上記撮影確認画像を表示中に上記検出部の検出出力が変化した場合、または撮影装置を操作した場合には、上記撮影確認画像の表示を終了することを特徴とする請求項１乃至３に記載の撮影装置。
【請求項５】
上記第１の時間および上記第２の時間は無限とし、撮影装置を操作するまで撮影確認画像を表示し続けることを特徴とする請求項１乃至４に記載の撮影装置。
【請求項６】
上記第１の表示部は、電子ファインダであり、
上記第２の表示部は、撮影装置の背面に配置された液晶パネルまたは有機ＥＬパネルであり、
上記検出部は、撮影者が上記電子ファインダを覗き見ているかどうかを検出する、
ことを特徴とする請求項１乃至５に記載の撮影装置。
【請求項７】
被写体像を取り込んで画像データとして出力する撮像部と、
上記撮像部が出力する上記画像データに基づいて表示し、接眼部を通して観察可能な第１の表示部と、
上記撮像部が出力する上記画像データに基づいて表示し、上記接眼部を通さずに観察可能な第２の表示部と、
上記第１の表示部における表示を撮影者が観察しているか否かを検出する検出部と、
上記検出部によって撮影者が第１の表示部を観察していることを検出した場合は、撮影確認画像を上記第１の表示部に第１の時間、表示するように制御し、一方、上記検出部によって撮影者が第１の表示部を観察していることを検出しない場合は、撮影確認画像を上記第２の表示部に第２の時間、表示するように制御する制御部と、
を具備することを特徴とする撮影装置。
【発明の詳細な説明】
【技術分野】
【０００１】
本発明は、接眼部を通して観察する第１の表示部と、接眼部を通さずに観察する第２の表示部を有し、撮影終了直後に撮影確認画像を第１または第２の表示部において表示可能な撮影装置に関する。
【背景技術】
【０００２】
近年、撮影画像を表示するために、接眼部を通して観察する電子ファインダ（ＥＶＦともいう）と、接眼部を通さず、直接、観察可能な背面液晶モニタを有するカメラが知られている（例えば、特許文献１〜３）。また、静止画撮影直後に撮影済みの画像を確認するためのレックビュー（クイックビュー、撮影直後の画像確認等ともいう）を表示するカメラも知られている。
【先行技術文献】
【特許文献】
【０００３】
【特許文献１】特開２００７−０６４３６号公報
【特許文献２】特開２００８−２４５２９７号公報
【特許文献３】特開２０１１−１３０１６０号公報
【発明の概要】
【発明が解決しようとする課題】
【０００４】
撮影直後に撮影済みの画像を確認するためのレックビューは、通常、予め決められている所定時間の間、行われる。上述した電子ファインダおよび背面液晶モニタに表示するにあたって、両表示部でのレックビューの表示時間は、同一の時間である。電子ファインダを覗いているときは連続して撮影した状況であることから、レックビュー時間は短時間でもよい。一方、背面液晶モニタで撮影済みの画像を見る場合には、撮影画像の詳細を確認した状況であることから、レックビュー時間は長くしたい。しかし、従来の技術では、このような観察時間を異ならせておらず、撮影状況にあったレックビュー表示を行うことができなかった。
【０００５】
本発明は、このような事情を鑑みてなされたものであり、撮影終了直後に撮影確認画像を第１または第２の表示部に表示するにあたって、撮影状況にあったレックビュー表示が可能な撮影装置を提供することを目的とする。
【課題を解決するための手段】
【０００６】
上記目的を達成するため第１の発明に係る撮影装置は、被写体像を取り込んで画像データとして出力する撮像部と、上記撮像部が出力する上記画像データに基づいて表示し、接眼部を通して観察可能な第１の表示部と、上記撮像部が出力する上記画像データに基づいて表示し、上記接眼部を通さずに観察可能な第２の表示部と、上記第１の表示部における表示を撮影者が観察しているか否かを検出する検出部と、上記検出部の検出出力に応じて、上記第１の表示部と上記第２の表示部のいずれか一方をオンにし、他方をオフにする切換部と、上記撮像部と、上記第１の表示部または上記第２の表示部と、を連続駆動してライブビュー表示を行うライブビュー表示部と、上記第１の表示部を用いてライブビュー表示中に撮影動作を行った場合は、撮影確認画像を上記第１の表示部に第１の時間、表示するように制御し、一方、上記第２の表示部を用いてライブビュー表示中に撮影動作を行った場合は、撮影確認画像を上記第２の表示部に第２の時間、表示するように制御する制御部と、を具備する。
【０００７】
第２の発明に係る撮影装置は、上記第１の発明において、上記第１の時間は上記第２の時間より短い。
第３の発明に係る撮影装置は、上記第１または２の発明において、上記第１の時間はゼロとし、上記第１の表示部には撮影確認を表示しない。
【０００８】
第４の発明に係る撮影装置は、上記第１ないし３の発明において、上記撮影確認画像を表示中に上記検出部の検出出力が変化した場合、または撮影装置を操作した場合には、上記撮影確認画像の表示を終了する。
第５の発明に係る撮影装置は、上記第１ないし４の発明において、上記第１の時間および上記第２の時間は無限とし、撮影装置を操作するまで撮影確認画像を表示し続ける。
【０００９】
第６の発明に係る撮影装置は、上記第１ないし５の発明において、上記第１の表示部は、電子ファインダであり、上記第２の表示部は、撮影装置の背面に配置された液晶パネルまたは有機ＥＬパネルであり、上記検出部は、撮影者が上記電子ファインダを覗き見ているかどうかを検出する。
【００１０】
第７の発明に係る撮影装置は、被写体像を取り込んで画像データとして出力する撮像部と、上記撮像部が出力する上記画像データに基づいて表示し、接眼部を通して観察可能な第１の表示部と、上記撮像部が出力する上記画像データに基づいて表示し、上記接眼部を通さずに観察可能な第２の表示部と、上記第１の表示部における表示を撮影者が観察しているか否かを検出する検出部と、上記検出部によって撮影者が第１の表示部を観察していることを検出した場合は、撮影確認画像を上記第１の表示部に第１の時間、表示するように制御し、一方、上記検出部によって撮影者が第１の表示部を観察していることを検出しない場合は、撮影確認画像を上記第２の表示部に第２の時間、表示するように制御する制御部と、を具備する。
【発明の効果】
【００１１】
本発明によれば、撮影終了直後に撮影確認画像を第１または第２の表示部に表示するにあたって、撮影状況にあったレックビュー表示が可能な撮影装置を提供することができる。
【図面の簡単な説明】
【００１２】
【図１】本発明の一実施形態に係るカメラの背面側から見た外観斜視図である。
【図２】本発明の一実施形態に係るカメラの主として電気的構成を示すブロック図である。
【図３】本発明の一実施形態に係るカメラにおいて、レックビューの動作の概念を示す図である。
【図４】本発明の一実施形態に係るカメラにおいて、パワーオンリセットの動作を示すフローチャートである。
【図５】本発明の一実施形態に係るカメラにおいて、撮影動作を示すフローチャートである。
【図６】本発明の一実施形態に係るカメラにおいて、レックビューの動作を示すフローチャートである。
【図７】本発明の一実施形態に係るカメラにおいて、設定変更の動作を示すフローチャートである。
【図８】本発明の一実施形態に係るカメラにおいて、レックビューの変更のための画面の一例を示す図である。
【発明を実施するための形態】
【００１３】
以下、図面に従って本発明を適用したカメラを用いて好ましい実施形態について説明する。本発明の好ましい実施形態に係るカメラは、デジタルカメラであり、撮像部を有し、この撮像部によって被写体像を画像データに変換し、この変換された画像データに基づいて、本体の背面に配置した背面ＬＣＤ３９または電子ファインダ４１に被写体像をライブビュー表示（スルー画表示ともいう）する。撮影者はライブビュー表示を観察することにより、構図やシャッタチャンスを決定する。レリーズ釦を全押しすると撮影が行われ、撮影直後の所定時間の間、背面ＬＣＤ３９または電子ファインダ４１に撮影画像確認用にレックビュー表示を行う。記録媒体に記録された画像データは、再生モードを選択すると、背面ＬＣＤ３９または電子ファインダ４１に再生表示することができる。
【００１４】
図１は、本発明の一実施形態に係るカメラの背面側から見た外観斜視図である。カメラ本体２００の上部には、被写体に補助光を照射するための内蔵フラッシュ５０が収納されている。内蔵フラッシュ５０をポップアップ状態とすると、使用状態となり、その発光部は被写体に向けた位置となる。
【００１５】
カメラ本体２００の上面には、コントロールパネル４０が配置されている。このコントロールパネル４０は、液晶等の表示装置であって、撮影にあたっての絞り値やシャッタ速度値等の撮影情報が表示される。なお、コントロールパネル４０を省略し、撮影情報を背面ＬＣＤ３９に表示するようにしても構わない。
【００１６】
カメラ本体２００の背面の右上には、後ダイアル２３が配置されている。後ダイアル２３は、時計方向および反時計方向に回転自在であり、その回転方向と回転量が検知され出力される。なお、カメラ本体２００の正面左側グリップ部には、前ダイアル２２（図２参照）が配置されている。後ダイアル２３と同様、時計方向および反時計方向に回転自在であり、その回転方向と回転量が検知され出力される。また、カメラ本体２００の正面左側のグリップ部の上部には、レリーズ釦が配置されている。このレリーズ釦は、撮影者が半押しするとオンする第１レリーズスイッチと、全押しするとオンする第２レリーズスイッチを有している。
【００１７】
後ダイアル２３の下側には、ライブビュー表示釦（以下、ＬＶ表示釦と称す）３１が配置されている。ライブビュー表示は、撮像素子によって取得した画像データに基づいて被写体像観察用に液晶モニタ等の表示装置に被写体像を表示することをいう。このＬＶ表示釦３１を操作することにより、ライブビュー表示モードを設定し、また再度操作するとライブビュー表示モードの解除を行うことができる。
【００１８】
ＬＶ表示釦３１の下側には、十字釦３２が配置されている。この十字釦３２は上側十字釦、下側十字釦、右側十字釦、左側十字釦の４つの釦からなり、背面液晶モニタ３９上にカーソルが表示されている場合に、このカーソルの移動等に用いる。４つの十字釦３２のほぼ中心にＯＫ釦３３が配置されている。このＯＫ釦３３は、十字釦３２によって選択された項目の決定を行うための操作部材である。
【００１９】
十字釦３２の下側には、パワースイッチ３４が配置されている。このパワースイッチ３４は、このカメラのカメラ動作の実行を制御するための操作部材である。すなわち、本実施形態に係るカメラは、パワースイッチ３４がオン状態の場合に、種々の動作を実行し、オフの場合にはカメラ動作を実行しない。
【００２０】
カメラ本体２００の背面の略中央の上部には、接眼部３８が設けられており、この中に接眼レンズ３５２が配置されている。カメラ本体２００はいわゆる一眼カメラ（ミラーレスカメラともいう）であり、内部には、電子ファインダ４１のファインダ光学系が配置され、このファインダ光学系を介して電子ファインダ用液晶モニタ（ＥＶＦ用ＬＣＤという）３５１（図２参照）に表示された画像が、この接眼レンズ３５２より出射する。撮影者は接眼レンズ３５２を介して、被写体像等を観察することができる。ＥＶＦ用ＬＣＤ２５１、接眼レンズ３５２、および後述するＬＣＤ駆動回路３５４（図２参照）は第１の表示部として機能する。
【００２１】
接眼部３８の接眼レンズ３５２の近傍には、アイセンサ３５２が配置されている。このアイセンサ３５２は、一対の投受光素子等から構成され、接眼部３８の近傍に物体が存在すると検知信号を出力する。アイセンサ３５２は、第１の表示部として機能する電子ファインダ４１における表示を撮影者が観察しているか否かを検出する検出部として機能し、撮影者が接眼部３８を覗き見ているかを検出する。
【００２２】
接眼部３８の下側には、第２の表示部として機能する背面液晶モニタ（以下、背面ＬＣＤと称す）３９が配置されている。背面ＬＣＤ３９は、ライブビュー表示を行い、また、記録済みの被写体像を再生表示し、撮影情報やメニューを表示するための表示装置である。これらの表示を行うことができるものであれば、液晶に限らず、例えば、有機ＥＬ等でもよい。また、本実施形態においては、カメラ本体２００の背面に配置しているが、撮影者が接眼部３８を通さずに観察できる位置であれば、背面に限られない。
【００２３】
背面ＬＣＤ３９の下側であって、パワースイッチ３４の左側には、メニュー釦３５が配置されている。このメニュー釦３５はメニューモードに設定し、また解除するための操作部材である。メニューモードは、このカメラの種々のモードやその他の設定を行うモードであり、メニューモードに設定されると、背面ＬＣＤ３９にメニュー表示がなされる。撮影者は、このメニュー表示の中から好みのモード等を十字釦３２によって選択し、ＯＫ釦３３によって確定する。
【００２４】
メニュー釦３５の左側には、再生釦３６が配置されている。この再生釦３６は、記録媒体等に記録された画像データを読み出し、この画像データに基づいて被写体像を背面ＬＣＤ３９に再生表示する再生モードを指示する操作部材である。
【００２５】
次に、本実施形態に係るカメラの電気回路について、図２に示すブロック図を用いて説明する。このカメラは、交換レンズ１００とカメラ本体２００とから構成される。本実施形態では、交換レンズ１００とカメラ本体２００は別体で構成され、通信接点３４１にて電気的に接続されているが、交換レンズ１００とカメラ本体２００を一体に構成することも可能である。
【００２６】
交換レンズ１００の内部には、焦点調節および焦点距離調節用の撮影光学系１０１と、開口量を調節するための絞り１０３が配置されている。撮影光学系１０１は光学系駆動機構１０７によって駆動され、絞り１０３は絞り駆動機構１０９によって駆動される。光学系駆動機構１０７によって駆動された撮影光学系１０１の焦点位置（ピント位置）は、ピント位置検出機構１０５によって、また光学系１０１の焦点距離は、ズーム位置検出機構１０６によって、それぞれ検出される。
【００２７】
光学系駆動機構１０７、絞り駆動機構１０９、ピント位置検出機構１０５、およびズーム位置検出機構１０６は、それぞれレンズＣＰＵ１１１に接続されており、このレンズＣＰＵ１１１は通信接点３４１を介してカメラ本体２００に接続されている。
【００２８】
また、レンズＣＰＵ１１１には、レンズＲＯＭ１１３とレンズＲＡＭ１１５が接続されている。レンズＲＯＭ１１３は、電気的に書き換え可能な不揮発性メモリであり、レンズＣＰＵ１１１を実行させるためのプログラムや、交換レンズ１００の固有情報等が記憶されている。レンズＲＡＭ１１５は、電気的に書き換え可能な揮発性メモリであり、上述のプログラムの実行に当たって使用される一時的な記憶領域である。
【００２９】
レンズＣＰＵ１１１は交換レンズ１００内の制御を行うものであり、光学系駆動機構１０７を制御してピント合わせや、ズーム駆動を行うとともに、絞り駆動機構１０９を制御して絞り値制御を行う。また、レンズＣＰＵ１１１は、ピント位置検出機構１０５やズーム位置検出機構１０６によって検出された焦点距離や焦点位置情報をカメラ本体２００に送信する。
【００３０】
カメラ本体２００内であって、撮影レンズ１０１の光軸上には、露光時間制御用のフォーカルプレーンタイプのシャッタ２１３が配置されており、このシャッタ２１３はシャッタ駆動機構２３７によって駆動制御される。シャッタ２１３には、発光許可信号回路２１２が接続されている。この発光許可信号回路２１２は、フォーカルプレーンシャッタの先幕さ走行終了時点で、フラッシュ発光用の発光許可信号を後述する入力回路２７１に出力する。
【００３１】
シャッタ２１３の後方には撮像素子２２１が配置されており、撮影光学系１０１によって結像される被写体像を電気信号に光電変換する。なお、撮像素子２２１としてはＣＣＤ（Charge Coupled Devices）またはＣＭＯＳ（Complementary Metal Oxide Semiconductor）等の二次元固体撮像素子を使用できることは言うまでもない。
【００３２】
撮像素子２２１は撮像素子駆動回路２２３に接続され、この撮像素子駆動回路２２３によって、撮像素子２２１から画像信号の読出し等が行われる。撮像素子駆動回路２２３は、前処理回路２２５に接続されており、前処理回路２２５は、ライブビュー表示のための画素間引き処理、拡大表示のための切り出し処理等の画像処理のための前処理を行なう。撮像素子２２１、撮像素子駆動回路２２３、前処理回路２２５によって撮像部が構成される。
【００３３】
前述のシャッタ２１３と撮像素子２２１の間には、防塵フィルタ２１５、赤外カットフィルタ・ローパスフィルタ２１７が配置されている。防塵フィルタ２１５の周囲には圧電素子が固定されており、この圧電素子は防塵フィルタ駆動回路２３５によって、超音波で振動する。防塵フィルタ２１５の付着した塵埃は、圧電素子に発生する振動波によって、除塵される。
【００３４】
赤外カットフィルタ・ローパスフィルタ２１７は、被写体光束から赤外光成分と、高周波成分を除去するための光学フィルタである。防塵フィルタ２１５、赤外カットフィルタ・ローパスフィルタ２１７および撮像素子２２１は、塵埃等が侵入しないように気密に一体に構成されている。これら一体化された撮像素子２２１等は、シフト機構２３３によって、撮像素子２２１の撮像面におけるＸ軸方向とＹ軸方向に沿って、それぞれ移動させることができる。
【００３５】
手ブレセンサ２２９は、カメラ本体２００に加えられた手ブレ等による振動を検出する角加速度センサ等であり、この出力は手ブレ補正回路２３０に接続している。手ブレ補正回路２３０は手ブレ等の振動を除去するための手ブレ補正信号を生成し、手ブレ補正回路２３０の出力は、シフト機構駆動回路２３１に接続されている。
【００３６】
シフト機構駆動回路２３１は、手ブレ補正信号を入力し、この信号に基づいて、シフト機構２３３を駆動する。このシフト機構２３３によって、カメラ本体２００に加えられた手ブレ等の振動を打ち消すように、撮像素子２２１等を移動させ、防振を行なう。
【００３７】
傾きセンサ２２７は、３軸回りの角加速度を検出し、カメラ本体２００の傾きに応じた値を出力する。傾き検知回路２２８は、傾きセンサ２２７に接続されており、傾きセンサ２２７の定常状態の値から傾き状態を、また傾きセンサ２２７の変化量から加速度を求め、これらの値を出力する。
【００３８】
光源センサ２４４は、蛍光灯や太陽光など、被写体の環境光の光源を検出するためのセンサである。光源処理回路２４５は、光源センサ２４４に接続され、光源に応じた光源データを出力する。照度センサ２４６は、カメラ２００上での照度を測定するためのセンサである。照度処理回路２４７は、照度センサ２４６に接続され、照度に応じた照度データを出力する。
【００３９】
リモコン受信センサ２４８は、リモコン装置（不図示）からの赤外線等によるリモコン指令を受信するための赤外線センサである。リモコン受信処理回路２４９は、リモコン受信センサ２４８に接続され、このセンサからの信号を入力し、リモコン信号を出力する。
【００４０】
前述の前処理回路２２５は、ＡＳＩＣ（Application Specific
Integrated Circuit 特定用途向け集積回路）２５０内のデータバス２５２に接続されており、このデータバス２５２を介して、ＡＳＩＣ２５０内の各回路に接続されている。また、前処理回路２２５は、コントラストＡＦ回路２５３およびＡＥ回路２５５にも接続されている。
【００４１】
コントラストＡＦ回路２５３は、前処理回路２２５から出力される画像信号に基づいて高周波成分を抽出し、この高周波成分に基づくコントラスト情報をボディＣＰＵ２５１に出力する。ＡＥ回路２５５は、前処理回路２２５から出力される画像信号に基づいて、被写体輝度に応じた測光情報をボディＣＰＵ２５１に出力する。
【００４２】
データバス２５２、コントラストＡＦ回路２５３、およびＡＥ回路２５５に接続されているボディＣＰＵ２５１は、フラッシュメモリ２７７に記憶されているプログラムに従って、カメラの動作を制御するものである。
【００４３】
このボディＣＰＵ２５１は、電子ファインダ４１における表示を撮影者が観察しているか否かを検出する検出部として機能するアイセンサ３５３の検出出力に応じて、第１の表示部と機能する電子ファインダ４１と第２の表示部として機能する背面ＬＣＤ３９のいずれか一方をオンにし、他方をオフにする切換部として機能する。
【００４４】
また、ボディＣＰＵ２５１は、電子ファインダ４１として機能する第１の表示部を用いてライブビュー表示中に撮影動作を行った場合は、撮影確認画像を第１の表示部に第１の時間、表示するように制御し、一方、第２の表示部として機能する背面ＬＣＤ３９を用いてライブビュー表示中に撮影動作を行った場合は、撮影確認画像を第２の表示部に第２の時間、表示するように制御する制御部として機能する。
【００４５】
また、ボディＣＰＵ２５１は、検出部として機能するアイセンサ３５３によって撮影者が第１の表示部を観察していることを検出した場合は、撮影確認画像を第１の表示部に第１の時間、表示するように制御し、上記検出部によって撮影者が第１の表示部を観察していることを検出しない場合は、撮影確認画像を上記第２の表示部に第２の時間、表示するように制御する制御部として機能する。
【００４６】
データバス２５２には、ボディＣＰＵ２５１以外に、画像処理回路２５７、圧縮伸張回路２５９、ビデオ信号出力回路２６１、スイッチ検知回路２６８、入出力回路２７１、通信回路２７３、フラッシュメモリ制御回路２７５、ＳＤＲＡＭ制御回路２７９、記録媒体制御回路２８３、ダイアル検知回路２８９が接続されている。
【００４７】
画像処理回路２５７は、デジタル画像データのデジタル的増幅（デジタルゲイン調整処理）、色補正、ガンマ（γ）補正、コントラスト補正、ライブビュー表示用画像生成等の各種の画像処理を行なう。圧縮伸張回路２５９はＳＤＲＡＭ２８１に一時記憶された画像データをＪＰＥＧやＴＩＦＦ等の圧縮方式により圧縮し、また表示等のために伸張するための回路である。なお、画像圧縮はＪＰＥＧやＴＩＦＦに限らず、他の圧縮方式も適用できる。
【００４８】
ビデオ信号出力回路２６１は、ＬＣＤ駆動回路２６３を介して背面ＬＣＤ３９に接続され、ＬＣＤ駆動回路３５４を介してＥＶＦ用ＬＣＤ３５１に接続され、また接点３３０ａを介して外部表示装置３３０に接続可能である。このビデオ信号出力回路２６１は、ＳＤＲＡＭ２８１、記録媒体Ａ２８５、記録媒体Ｂ２８７に記憶された画像データを、背面ＬＣＤ３９、ＥＶＦ用ＬＣＤ３５１等に表示するためのビデオ信号に変換するための回路である。ビデオ信号出力回路２６１、ＬＣＤ駆動回路２６３、およびＬＣＤ駆動回路３５４等は、第１表示部として機能するＥＶＦ用ＬＣＤ３５１、および第２表示部として機能する背面ＬＣＤを連続駆動してライブビュー表示を行うライブビュー表示部として機能する。
【００４９】
レリーズ釦の第1ストローク（半押し）を検出する１Ｒスイッチや、第２ストローク（全押し）を検出する２Ｒスイッチ、ライブビュー表示釦３１の操作によってオンするライブビュー表示スイッチを含む各種スイッチ２６９は、スイッチ検知回路２６８を介してデータバス２５２に接続されている。また、各種スイッチ２６９としては、この他にも、メニュー釦３５に連動するメニュースイッチ、再生釦３６に連動する再生スイッチ、パワースイッチ３４等、その他の操作部材に連動する各種スイッチ等を含んでいる。
【００５０】
上述の発光許可信号回路２１２、防塵フィルタ駆動回路２３５、シャッタ駆動機構２３７、光源処理回路２４５、照度処理回路２４７、リモコン受信処理回路２４９、傾き検知回路２２８、シフト機構駆動回路２３１と接続される入出力回路２７１は、データバス２５２を介してボディＣＰＵ２５１等の各回路とデータの入出力を制御する。なお、入出力回路２７１は、後述するＬＣＤ向き検知回路２６５、充電回路３０１、フラッシュ発光回路３０３にも接続される。
【００５１】
レンズＣＰＵ１１１と通信接点３４１を介して接続された通信回路２７３は、データバス２５２に接続され、ボディＣＰＵ２５１等とのデータのやりとりや制御命令の通信を行う。
【００５２】
フラッシュメモリ制御回路２７５は、フラッシュメモリ（Flash Memory）２７７に接続され、このフラッシュメモリ２７７は、デジタル一眼レフカメラの動作を制御するためのプログラムが記憶されており、前述したように、ボディＣＰＵ２５１はこのフラッシュメモリ２７７に記憶されたプログラムに従ってカメラの制御を行う。なお、フラッシュメモリ２７７は、電気的に書き換え可能な不揮発性メモリである。
【００５３】
ＳＤＲＡＭ２８１は、ＳＤＲＡＭ制御回路２７９を介してデータバス２５２に接続されており、このＳＤＲＡＭ２８１は、画像処理回路２５７によって画像処理された画像データまたは圧縮伸張回路２５９によって圧縮された画像データを一時的に記憶するためのバッファメモリである。
【００５４】
データバス２５２に接続された記録媒体制御回路２８３は、記録媒体Ａ２８５、記録媒体Ｂ２８７に接続され、これらの記録媒体Ａ２８５、Ｂ２８７への画像データ等の記録及び画像データ等の読み出しの制御を行う。
【００５５】
記録媒体Ａ２８５および記録媒体Ｂ２８７は、ｘＤピクチャーカード(登録商標)、コンパクトフラッシュ(登録商標)、ＳＤメモリカード(登録商標)またはメモリスティック(登録商標)等の書換え可能な記録媒体のいずれかが装填可能となるように構成され、カメラ本体２００に対して着脱自在となっている。その他、通信接点を介してハードディスクを接続可能に構成してもよい。なお、記録媒体Ａ２８５、Ｂ２８７は、同じ種類の記録媒体であって、記憶容量が異なる組み合わせや、また異なる種類の記録媒体の組み合わせ等、組み合わせ方は自由である。
【００５６】
ダイアル検知回路２８９は、前ダイアル２２と後ダイアル２３にそれぞれ接続しており、それぞれのダイアルの回転方向および回転量を検知する。
【００５７】
カメラ本体２００内には、本体内の各回路や各機構等に電源を供給するための電源供給回路２９１が設けられている。この電源供給回路２９１には、内蔵のバッテリ２９２および外部電源２９３が接続可能である。
【００５８】
ＬＣＤ向き検知回路２６５は、背面ＬＣＤ３９の向きを検知する。すなわち、背面ＬＣＤ３９は、その向きを縦位置や横位置に変更することができ、この向きを検知し、入出力回路２７１を介してボディＣＰＵ２５１に伝達される。
【００５９】
前述のコントロールパネル４０には、コントロールパネル駆動回路２９７が接続されており、コントロールパネル駆動回路２９７はボディＣＰＵ２５１に接続されている。ボディＣＰＵ２５１は、コントロールパネル駆動回路２９７を介して、コントロールパネル４０に撮影情報等の表示を行う。
【００６０】
前述の接眼レンズ３５２の光軸上には、ＥＶＦ用ＬＣＤ３５１が配置されており、このＥＶＦ用ＬＣＤ３５１はＬＣＤ駆動回路３５４に接続されている。ＬＣＤ駆動回路３５４は、ビデオ信号出力回路２６１からのビデオ信号を受け、ＥＶＦ用ＬＣＤ３５１にライブビュー等の画像を表示する。この画像は接眼レンズ３５２を介して撮影者が観察することができる。また、接眼レンズ３５２の近傍には、前述したようにアイセンサ３５３が配置され（図１参照）、このアイセンサ３５３の出力は、入出力回路２７１に接続されている。
【００６１】
カメラ本体２００内に配置された内蔵フラッシュ５０は、充電回路３０１、フラッシュ発光回路３０３、発光管３０５等から構成される。充電回路３０１はバッテリ２９２または外部電源２９３等より、電源供給を受け、電圧を昇圧し、これを充電する。フラッシュ発光回路３０３は、所定のタイミングで、充電回路３０１によって昇圧された電圧を発光管３０５に印加する等、発光制御を行う。
【００６２】
外部フラッシュ３１０は、外付けのフラッシュ装置であり、接点３１０ａ、３１０ｂを介して、カメラ本体２００と接続する。この外部フラッシュ３１０内には、フラッシュＣＰＵ３１１、充電回路３１３、フラッシュ発光回路３１５、発光管３１７、反射傘３１８、ズーム駆動回路３１９が配置されている。
【００６３】
フラッシュＣＰＵ３１１は、外部フラッシュ３１０の制御を行い、また、接点３１０ｂ、通信回路２７３を介してボディＣＰＵ２５１と通信を行う。充電回路３１３は、外部フラッシュ３１０内に装填された電源電池の電圧を昇圧し、これを充電する。フラッシュ発光回路３１５は、ボディＣＰＵ２５１と接点３１０ａを介して受信した発光命令に応じて発光する。ズーム駆動回路３１９は、撮影光学系１０１の焦点距離に応じて、発光管３１７と反射笠３１８の間隔を駆動制御し、撮影光学系１０１の焦点距離等に応じた照射角となるように制御する。
【００６４】
外部機器３２０は、パーソナルコンピュータ（ＰＣ）等の機器であり、接点３２０ａ、通信回路２７３を介して、ボディＣＰＵ２５１と通信を行う。外部表示機器３３０は、テレビ等の表示機器であり、接点３３０ａを通じて、前述のビデオ信号出力回路２６１に接続されている。外部表示機器３３０の内部には、表示装置駆動回路３３１と表示装置３３３が配置されている。ビデオ信号出力回路２６１からのビデオ信号に基づき、表示装置駆動回路３３１は表示装置３３３に記録画像等の表示を行う。
【００６５】
次に、本実施形態における背面ＬＣＤ３９におけるレックビュー表示と、電子ファインダ４１におけるレックビュー表示の概略について、図３を用いて説明する。
【００６６】
前述したように、レリーズ釦を全押し撮影が行われた直後の所定時間の間、背面ＬＣＤ３９または電子ファインダ４１に撮影画像確認用にレックビュー表示を行う。このときの背面ＬＣＤ３９および電子ファインダ４１における確認用の時間（レックビュー時間ともいう）は、後述するように、撮影者が予め用意された時間および無限の時間を設定することができる（図８参照）。設定されたレックビュー時間が無限の場合には、図３において（Ｓ１）〜（Ｓ４）に沿った流れとなる。一方、設定された時間が有限の場合には、（Ｓ１）〜（Ｓ１１）〜（Ｓ１７)の流れとなる。
【００６７】
なお、図３の例においては、電子ファインダ４１用のレックビュー時間の方が、背面ＬＣＤ３９用のレックビュー時間よりも短く設定される。これは、電子ファインダ４１を覗いているときは連続して撮影した状況であることから、レックビュー時間は短時間とし、一方、背面液晶モニタで撮影済みの画像を見る場合には、撮影画像の詳細を確認した状況であることから、レックビュー時間は長くしている。また、電子ファインダ４１用のレックビュー時間をゼロとしてもよい。この場合には、電子ファインダ４１を覗いて撮影している場合には、レックビュー時間がゼロとなり、レックビュー表示を行わない。
【００６８】
今、電子ファインダ４１を観察している状態で撮影を行ったとする（Ｓ１参照）。このときレックビュー時間が無限に設定されている場合には、撮影者が電子ファインダ４１を覗いた場合には、電子ファインダにレックビュー表示し（Ｓ２参照）、また撮影者が電子ファインダ４１を覗いていない場合には背面ＬＣＤ３９にレックビュー表示する（Ｓ３参照）。図３では電子ファインダ４１でレックビューした後に、背面ＬＣＤ３９でレックビューしているが、順番は逆でもよく、またいずれか一方のみでもよい。なお、電子ファインダ４１でレックビュー表示する際には背面ＬＣＤ３９におけるレックビュー表示は消灯し、逆に背面ＬＣＤ３９でレックビュー表示する際には、電子ファインダ４１におけるレックビュー表示は消灯する。レックビュー終了後に、レリーズ釦の半押し操作（１Ｒ操作）を行うと、背面ＬＣＤ３９にライブビュー表示を行う（Ｓ４）。
【００６９】
次に、レックビュー時間として有限の時間が設定した場合に、電子ファインダ４１を観察している状態で撮影を行うと（Ｓ１参照）、電子ファインダ４１用のＥＶＦタイマと背面ＬＣＤ３９用のＬＣＤタイマの計時動作がスタートする（Ｓ１１参照）。今、撮影者が電子ファインダ４１を覗きこまない状態ではレックビュー表示を背面ＬＣＤ３９で行う（Ｓ１２参照）。ＬＣＤタイマの計時時間が終了すると、レックビュー表示は終了し背面ＬＣＤ３９にライブビュー表示がなされる（Ｓ１３参照）。
【００７０】
また、レックビュータイマをスタートさせ、電子ファインダ４１でレックビューを観察している場合に、ＥＶＦタイマが終了すると（Ｓ１４）、背面ＬＣＤ３９にレックビューを表示させる（Ｓ１５参照）。前述したように、図３に示す例では、ＬＣＤタイマの方がＥＶＦタイマよりも長く設定されているからである。ＬＣＤタイマが終了すると、背面ＬＣＤ３９にライブビュー表示がなされる（Ｓ１６参照）。
【００７１】
また、レックビュータイマをスタートさせ、ＥＶＦタイマおよびＬＣＤタイマの両方が終了すると（Ｓ１７）、背面ＬＣＤ３９にライブビュー表示が表示される（Ｓ１８）。
【００７２】
次に、本実施形態の動作について、図４ないし図７に示すフローチャートを用いて説明する。これらのフローは、フラッシュメモリ２７７に記憶されているプログラムに従って、ボディＣＰＵ２５１が実行する。
【００７３】
図４に示すパワーオンリセットのフローは、カメラ本体２００にバッテリ２９２が装填され、または外部電源２９３が接続されると、このフローがスタートする。まずカメラ本体２００のパワースイッチ３４がオンであるかを判定する（＃１）。判定の結果、パワースイッチ３４がオフの場合には、低消費電力の状態であるスリープ状態となる（＃３）。
【００７４】
このスリープ状態ではパワースイッチ３４がオンとなった場合のみに割り込み処理を行い、ステップ＃５以下においてパワーオンのための処理を行う。パワースイッチ３４がオンとなるまでは、パワースイッチ割り込み処理以外の動作を停止し、電源電池の消耗を防止する。
【００７５】
ステップ＃１において、パワースイッチ３４がオンであった場合、またはステップ＃３におけるスリープ状態を脱した場合には、電源供給を開始する（＃５）。次に、防塵フィルタ２１５における塵埃除去動作を行う（＃７）。このステップでは、防塵フィルタ２１５に固着された圧電素子に防塵フィルタ駆動回路２３５から駆動電圧を印加し、超音波振動波によって塵埃等を除去する。
【００７６】
次に、前ダイアル２２や後ダイアル２３等によって設定された撮影モードや、ＩＳＯ感度、マニュアル設定されたシャッタ速度や絞り値等の情報があればそれらの撮影モードや撮影条件の読み込みを行う（＃９）。なお、このときに、併せて、レンズＣＰＵ１１１から通信回路２７３を介して交換レンズ１００の開放絞り、焦点距離情報等のレンズ情報の読み込みも行う。
【００７７】
撮影モードや撮影条件の読み込みを行うと、次に、測光および露出量演算を行う（＃１１）。ここでは、撮像素子２２１からの画像データに基づいて、ＡＥ回路２５５によって被写体輝度の測定を行う。この測定された被写体輝度に基づいて、適正露光を得るための絞り値やシャッタ速度等の露出量の演算を行う。なお、露出量の演算にあたっては、ステップ＃９において設定されていた撮影モードや撮影条件に従って行う。また、ここで演算された露出量に基づく絞り値やシャッタ速度値、またはこれらの手動設定値は、背面ＬＣＤ３９、電子ファインダ４１やコントロールパネル４０に表示される。
【００７８】
測光および露出量演算を行うと、次に、アイセンサの検知信号の判定を行う（＃１３）。前述したように、アイセンサ３５２は、接眼部３８の近傍に物体（例えば、撮影者）が存在すると検知信号を出力する。このステップでは、接眼部３８の近傍に物体が存在すると、オンと判定され、一方、存在しない場合にはオフと判定される。
【００７９】
ステップ＃１３における判定の結果、オフであった場合には、次に、ＥＶＦ用ＬＣＤ３５１を消灯し（＃１５）、背面ＬＣＤ３９にライブビュー表示を行う（＃１７）。アイセンサ３５３の検知信号の判定の結果、撮影者は接眼部３８を覗いて電子ファインダ４１を観察していないことから、ＥＶＦ用ＬＣＤ３５１を消灯し、背面ＬＣＤ３９にライブビュー表示を行う。
【００８０】
一方、ステップ＃１３における判定の結果、オンであった場合には、背面ＬＣＤ３９を消灯し（＃３１）、ＥＶＦライブビュー表示を行う（＃３３）。アイセンサ３５３の検知信号の判定の結果、撮影者は接眼部３８を覗いて電子ファインダ４１を観察していることから、背面ＬＣＤ３９を消灯し、ＥＶＦ用ＬＣＤ３５１にライブビュー表示を行う。
【００８１】
ステップ＃１７および＃３３におけるライブビュー表示は、撮像素子２２１からの画像データに基づき、前処理回路２２５や画像処理回路２５７によって、画素数を間引く等の画像処理を行い、被写体像を背面ＬＣＤ３９またはＥＶＦ用ＬＣＤ３５１に動画表示する。撮像素子２２１から画像データの読み出しを行うたびに、被写体像の更新を行う。
【００８２】
ステップ＃１７において背面ＬＣＤにライブビュー表示を行うと、またはステップ＃３３においてＥＶＦ用ＬＣＤにライブビュー表示を行うと、次に、操作部材による操作がなされたか否かの判定を行う（＃１９）。このステップでは、スイッチ検知回路２６８によって、１Ｒスイッチ、設定スイッチ（メニュースイッチ）、再生スイッチ、パワースイッチのいずれかのスイッチが操作されたか否かを判定する。
【００８３】
ステップ＃１９における判定の結果、操作がなかった場合には、ステップ＃１１に戻り、前述の動作を実行する。一方、判定の結果、操作がなされていた場合には、次に、レリーズ釦が半押しされたか否か、すなわち１Ｒスイッチがオンか否かの判定を行う（＃２１）。
【００８４】
ステップ＃２１における判定の結果、１Ｒスイッチがオンであった場合には、撮影準備と撮影を行う撮影動作のサブルーチンを実行する（＃４１）。このサブルーチン中でレリーズ釦が全押し（２Ｒスイッチオン）されると、撮影が行われ、撮影終了後にレックレビューが表示される。このサブルーチンの詳細は図５を用いて後述する。
【００８５】
ステップ＃２１における判定の結果、１Ｒスイッチがオンでなかった場合、または、ステップ＃４１における撮影動作を実行した場合には、次に、設定スイッチがオンか否かの判定を行う（＃２３）。このステップでは、メニュー釦（設定釦）３５等が操作され、メニューモード（設定モード）に設定されたか否かの判定を行う。
【００８６】
ステップ＃２３における判定の結果、メニューモード（設定モード）であった場合には、設定変更を行う（＃４３）。この設定変更のサブルーチンでは、レックビュー時間の設定変更等、種々の設定変更の処理を行う。このサブルーチンの詳細については、図７を用いて後述する。
【００８７】
ステップ＃２３における判定の結果、設定スイッチがオンでなかった場合、または、ステップ＃４３における設定変更のサブルーチンを実行すると、次に、再生スイッチがオンか否かの判定を行う（＃２５）。この判定の結果、再生スイッチがオンであった場合には、再生動作を実行する（＃４５）。再生動作では、記録媒体Ａ２８５または記録媒体Ｂ２８７に記録されている画像データを読み出し、背面ＬＣＤ３９、ＥＶＦ用ＬＣＤ３５１、または外部表示装置３３０等に再生表示する。
【００８８】
ステップ＃２５における判定の結果、再生スイッチがオンでなかった場合、または、ステップ＃４５における再生動作のサブルーチンを実行すると、次に、パワースイッチ３４がオンか否かの判定を行う（＃２７）。この判定の結果、パワースイッチ３４がオンであった場合には、ステップ＃１１に戻り、前述の動作を実行する。
【００８９】
一方、ステップ＃２７における判定の結果、パワースイッチがオンではなかった場合には、電源供給を停止し（＃２９）、ステップ＃３に戻り、前述のスリープ状態となる。
【００９０】
次に、ステップ＃４１における撮影動作のサブルーチンについて、図５に示すフローチャートを用いて説明する。
【００９１】
撮影動作のサブルーチンに入ると、まず、コントラストＡＦを行う（＃５１）。ここでは、撮像素子２２１からの画像データに基づいて、コントラストＡＦ回路２５３から出力される画像データの高周波成分がピーク値となるように、撮影光学系１０１の駆動制御を行う。
【００９２】
コントラストＡＦを行うと、次に、ステップ＃１１と同様に測光および露出量演算を行う（＃５３）。ここで演算された露出量に基づく絞り値やシャッタ速度値、またはこれらの手動設定値は、背面ＬＣＤ３９、コントロールパネル４０、またはＥＶＦ用ＬＣＤ３５１に表示される。
【００９３】
測光および露出量演算を行うと、次に、レリーズ釦が全押しされたか否か、すなわち２Ｒスイッチがオンか否かを判定する（＃５５）。この判定の結果、２Ｒスイッチがオンでなかった場合には、１Ｒスイッチがオンか否かの判定を行う（＃５７）。
【００９４】
このステップ＃５７における判定の結果、１Ｒスイッチがオンでなければ、レリーズ釦から撮影者の指が離れたことから、撮影動作のサブルーチンを終了し、元のフローに戻る。一方、ステップ＃５７における判定の結果、１Ｒスイッチがオンであった場合には、少なくとも撮影者の指がレリーズ釦にかかっていることから、ステップ＃５５に戻り、このステップとステップ＃５７を交互に判定する待機状態となる。
【００９５】
ステップ＃５５における判定の結果、２Ｒスイッチがオンの場合には、撮影者がレリーズ釦を全押した場合であり、露光動作に移る。まず、シャッタ２１３の閉じ動作を行う（＃６１）。露光動作を実行するにあたって、シャッタ２１３をチャージする必要があることから、一旦、シャッタ２１３の閉じ動作を行う。
【００９６】
シャッタ２１３の閉じを行うと、次に、絞り１０３の絞り込み動作を行う（＃６３）。このステップでは、ステップ＃５３における露出量演算に基づいて求められた絞り値または手動設定された絞り値となるように、レンズＣＰＵ１１１に対して、絞り込み指示を行う。
【００９７】
続いて、露出動作を行う（＃６５）。このステップでは、シャッタ２１３の先幕を走行させると共に、撮像素子２２１において電荷蓄積を開始する。そして、所定時間が経過すると、シャッタ２１３の後幕を走行させると共に、撮像素子２２１における電荷蓄積を終了する。
【００９８】
露出動作が終了すると、次に、絞り１０３の開放を行う（＃６７）。すなわち、ボディＣＰＵ２５１は、レンズＣＰＵ１１１に対して、絞り１０３が開放絞り値となるように指示を送信する。
【００９９】
絞りを開放にすると、次に、シャッタ２１３の開放を行う（＃６９）。ライブビュー表示を再開するために、撮影光学系１０１からの被写体光束を撮像素子２２１に導くべく、シャッタ２１３の先幕を走行させ、シャッタを開放する。
【０１００】
シャッタ２１３を開くと、次に、画像の読み出しを行う（＃７１）。このステップでは、撮像素子駆動回路２２３によって、撮像素子２２１から画像信号の読み出しを行う。続いて、画像処理を行う（＃７３）。ここでは、撮像素子２２１から読み出された画像信号を前処理回路２２５、画像処理回路２５７や圧縮伸張回路２５９等によって種々の画像処理を行う。
【０１０１】
画像処理を行うと、次に、レックビューを行う（＃７５）。ここでは、ステップ＃６１〜＃７３において取得した撮影済みの画像を、レックビュー時間の間、電子ファインダ４１または背面ＬＣＤ３９に表示する。このレックビューの詳しい動作については図６を用いて後述する。
【０１０２】
また、画像記録を行う（＃７７）。画像記録は、画像処理された画像データ出力領域の画像データを、記録媒体制御回路２８３によって、記録媒体Ａ２８５または記録媒体Ｂ２８７に記録する。なお、図５のフローにおいては、レックビューを行ってから画像記録を行う順番に記載しているが、逆に行ってもよく、また両者を並行して行うようにしてもよい。画像記録が終わると、元のフローに戻る。
【０１０３】
次に、ステップ＃７５のレックビューの詳しい動作について、図６に示すフローチャートを用いて説明する。レックビューのフローに入ると、まず、ＥＶＦにレックビュー表示を行う（＃８１）。一般に、撮影時には電子ファインダ４１で被写体を確認しながら、撮影することが多いことから、本実施形態においては、電子ファインダ４１のＥＶＦ用ＬＣＤ３５１にレックビュー表示に行うようにしている。
【０１０４】
ＥＶＦにレックビュー表示を行うと、次に、ＥＶＦタイマをスタートさせ（＃８３）、続いて、ＬＣＤタイマをスタートさせる（＃８５）。レックビュー表示は所定時間の間、行うので、ここで所定時間の計時用のタイマをスタートさせる。なお、この所定時間は、ステップ＃４１（図４参照）の設定変更において設定される。
【０１０５】
ＥＶＦタイマおよびＬＣＤタイマをスタートさせると、次に、ＥＶＦタイマが経過したか否かを判定する（＃８７）。ここでは、ステップ＃８３において計時動作を開始したＥＶＦタイマが、所定時間に達した否かを判定する。
【０１０６】
ステップ＃８７における判定の結果、ＥＶＦタイマが経過していなかった場合には、ステップ＃１３と同様に、アイセンサがオンか否かを判定する（＃８９）。ここでは、アイセンサ３５３からの検知信号に基づいて判定する。
【０１０７】
ステップ＃８９における判定の結果、アイセンサがオフであった場合、すなわち、撮影者が接眼部３８を覗いていなかった場合には、背面ＬＣＤ３９にレックビュー表示を行う（＃９１）。ここでは、ステップ＃７３（図５参照）において画像処理された画像データに基づいて、背面ＬＣＤ３９にレックビュー表示を行う。
【０１０８】
一方、ステップ＃８９における判定の結果、アイセンサがオンであった場合、すなわち、撮影者が接眼部３８を覗いていた場合いには、ＥＶＦにレックビュー表示を行う（＃９３）。ここでは、ステップ＃７３（図５参照）において画像処理された画像データに基づいて、ＥＶＦ用ＬＣＤ３５１にレックビュー表示を行う。
【０１０９】
ステップ＃９１において背面ＬＣＤにレックビュー表示を行うと、次に、ＬＣＤタイマが経過したか否かを判定する（＃９５）。ここでは、ステップ＃８５において計時動作を開始したＬＣＤタイマが所定時間を計時したか否かを判定する。
【０１１０】
ステップ＃９５における判定の結果、ＬＣＤタイマが経過していなかった場合、またはステップ＃８９における判定の結果、アイセンサがオンであり、ＥＶＦ用ＬＣＤ３５１にレックビュー表示をしている場合には、次に、操作有りか否かの判定を行う（＃９７）。ここでは、スイッチ検知回路２６８によって各種スイッチ２６９のいずれかの操作スイッチが操作されてか否かを判定する。この判定の結果、操作がなかった場合には、ステップ＃８７に戻る。
【０１１１】
ステップ＃９５における判定の結果、ＬＣＤタイマが所定時間を計時すると、またはステップ＃９７における判定の結果、操作が有った場合には、レックビュー表示を終了して、元のフローに戻る。
【０１１２】
ステップ＃８７における判定の結果、ＥＶＦタイマが経過すると、ＥＶＦにライブビュー表示を行う（＃１０１）。ここでは、ＥＶＦタイマの計時時間が所定時間を経過したことから、電子ファインダ４１（ＥＶＦ用ＬＣＤ３５１）におけるレックビュー表示を終了し、ライブビュー表示を行う。
【０１１３】
ＥＶＦにライブビュー表示を行うと、次に、ＬＣＤタイマが経過したか否かを判定する（＃１０３）。ここでは、ステップ＃８５においてスタートしたＬＣＤタイマが所定時間に達したか否かを判定する。
【０１１４】
ステップ＃１０３における判定の結果、ＬＣＤタイマが経過していなかった場合には、次に、ステップ＃１３、＃８９と同様に、アイセンサがオンか否かを判定する（＃１０５）。アイセンサ３５３からの検知信号に基づいて判定する。
【０１１５】
ステップ＃１０５における判定の結果、オフであった場合には、すなわち、撮影者が接眼部３８を覗いていなかった場合には、背面ＬＣＤ３９にレックビュー表示を行う（＃１０７）。ステップ＃７３（図５参照）において画像処理された画像データに基づいて、背面ＬＣＤ３９にレックビュー表示を行う。
【０１１６】
一方、ステップ＃１０５における判定の結果、アイセンサがオンであった場合、すなわち、撮影者が接眼部３８を覗いていた場合いには、ＥＶＦにライブビュー表示を行う（＃１０９）。ステップ＃８７における判定結果、ＥＶＦタイマの計時時間が所定時間を経過したことから、撮像素子２２１からの画像データに基づいて、ライブビュー表示を行う。
【０１１７】
ステップ＃１０７において背面ＬＣＤにレックビュー表示を行うと、次に、ＬＣＤタイマが経過したか否かを判定する（＃１１１）。ここでは、ステップ＃８５において計時動作を開始したＬＣＤタイマが所定時間に達したか否かを判定する。
【０１１８】
ステップ＃１１１における判定の結果、ＬＣＤタイマが経過していなかった場合、またはＥＶＦ用ＬＣＤ３５１にライブビュー表示をした場合には、次に、ステップ＃９７と同様に、操作有りか否かの判定を行う（＃１１３）。ここでは、スイッチ検知回路２６８によって各種スイッチ２６９のいずれかの操作スイッチが操作されてか否かを判定する。この判定の結果、操作がなかった場合には、ステップ＃１０３に戻る。したがって、ＬＣＤタイマ時間が経過するまでであって、操作スイッチが操作されない限り、背面ＬＣＤ３９にレックビュー表示を、またはＥＶＦ用ＬＣＤ３５１にライブビュー表示を続行する。
【０１１９】
ステップ＃１０３または＃１１１における判定の結果、ＬＣＤタイマが所定時間を計時すると、またはステップ＃１１３における判定の結果、操作が有った場合には、レックビュー表示を消灯して、元のフローに戻る。
【０１２０】
このように、本実施形態におけるレックビューのフローにおいては、ＥＶＦタイマが経過するまでは（＃８７→Ｎｏ）、接眼部３８を覗いて場合には電子ファインダ４０（ＥＶＦ用ＬＣＤ３５１）にレックビュー表示を行い（＃９３）、一方、接眼部３８を覗いていない場合には背面ＬＣＤ３９にレックビュー表示を行う（＃９１）。またＥＶＦタイマが経過したがＬＣＤタイマが経過していない場合には（＃８７→Ｙｅｓ）、接眼部３８を覗いていれば電子ファインダ４０（ＥＶＦ用ＬＣＤ３５１）にライブビュー表示を行い（＃１０９）、一方、接眼部３８を覗いていない場合には背面ＬＣＤ３９にレックビュー表示を行う（＃１０７）。
【０１２１】
また、本実施形態におけるレックビューのフローにおいては、アイセンサ３５３によって撮影者が電子ファインダ４１を観察していることを検出した場合は（＃８９→Ｏｎ）、レックビュー画像を電子ファインダ４１にＥＦＦレックビュー時間、表示し（＃９３）、一方、撮影者が電子ファインダ４１を観察していることを検出しない場合は（＃８９→Ｏｆｆ、＃１０５→Ｏｆｆ）、レックビュー画像を背面ＬＣＤ３９にＬＣＤレックビュー時間、表示している（＃９１、＃１０７）。
【０１２２】
また、本実施形態においては、レックビュー表示期間中に操作部材の操作が有った場合には、レックビュー表示を終了するようにしている（＃９７、＃１１３）。レックビュー時間として無限（ＨＯＬＤ）（図８参照）が選択された場合には、操作部材が操作されるまでレックビュー表示が継続される。また、レックビュー表示中に、アイセンサ３５１の検出出力が変化すると（＃８９）、レックビュー表示の表示先が変わる。この場合、アイセンサ３５１の検出出力が変化した場合には、レックビューの表示を終了するようにしてもよい。
【０１２３】
次に、ステップ＃４３（図４参照）の設定変更の詳しい動作について、図７に示すフローチャートを用いて説明する。設定変更のフローに入ると、まず、ＥＶＦレックビュー時間の選択か否かを判定する（＃１２１）。設定変更はメニュー釦３５を操作すると、背面ＬＣＤ３９に、メニュー画面が表示され、このメニュー画面上で行われる。メニュー画面では、ＥＶＦレックビュー時間の設定変更用のアイコンと、ＬＣＤレックビュー時間の設定変更用アイコン、及びその他設定変更用のアイコンが表示される。このステップでは、ＥＶＦレックビュー時間設定変更用アイコンが、十字釦３２等の操作により選択されたか否かを判定する。
【０１２４】
ステップ＃１２１における判定の結果、ＥＶＦレックビュー時間が選択された場合には、ＥＶＦレックビュー時間の設定を行う（＃１２７）。ＥＶＦレックビュー時間が選択されると、図８に例示するようなレックビュー時間設定値が表示され、撮影者は十字釦３２等を操作して、撮影者が意図するレックビュー時間を選択する。レックビュー時間として、０秒が選択されると、レックビュー時間がゼロとなり、電子ファインダ４１にはレックビュー表示がなされない。また、レックビュー時間として、ＨＯＬＤが選択されると、レックビュー時間は無限となる。この場合には、ステップ＃９７、＃１１３（図６参照）において、操作されるまでレックビュー表示が継続する。
【０１２５】
ステップ＃１２７においてＥＶＦレックビュー時間を設定すると、またはステップ＃１２１における判定の結果、ＥＶＦレックビュー時間ではなかった場合には、次に、背面ＬＣＤレックビュー時間の設定か否かを判定する（＃１２３）。このステップでは、ＬＣＤレックビュー時間設定変更用アイコンが、十字釦３２等の操作により選択されたか否かを判定する。
【０１２６】
ステップ＃１２３における判定の結果、ＬＣＤレックビュー時間が選択された場合には、ＬＣＤレックビュー時間の設定を行う（＃１２９）。ＬＣＤレックビュー時間が選択されると、ＥＶＦレックビュー時間の設定の場合と同様に、図８に例示するようなレックビュー時間設定値が表示され、撮影者は十字釦３２等を操作して、撮影者が意図するレックビュー時間を選択する。このステップでは、撮影者が決定したレックビュー時間を設定する。なお、ＬＣＤレックビュー時間として、０秒を表示しないようにしてもよい。また、図８は、例示であり、ＥＶＦレックビューおよびＬＣＤレックビュー時間は、表示以外の時間でもよく、また、ダイアル等で適宜、数値を変化させるようにしてもよい。
【０１２７】
ステップ＃１２９においてＬＣＤレックビュー時間を設定すると、またはステップ＃１２３における判定の結果、ＬＣＤレックビュー時間ではなかった場合には、次に、その他の設定か否かを判定する（＃１２５）。メニュー画面においては、レックビュー時間の設定以外にも種々の設定用のアイコンが表示される。このステップでは、他のアイコンが選択されたか否かを判定する。ステップ＃１２５における判定の結果、その他の設定であった場合には、選択された設定を行う（＃１３１）。
【０１２８】
ステップ＃１３１においてその他の設定を行うと、またはステップ＃１２５における判定の結果、その他の設定ではなかった場合には、設定変更のフローを終了し、元のフローに戻る。
【０１２９】
以上説明したように、本発明の一実施形態においては、撮像部が出力する画像データに基づいて表示し、接眼部３８を通して観察可能な第１の表示部（電子ファインダ４１）と、撮像部が出力する画像データに基づいて表示し、接眼部３８を通さずに観察可能な第２の表示部（背面ＬＣＤ３９）と、第１の表示部における表示を撮影者が観察しているか否かを検出する検出部（アイセンサ３５３）と、第１の表示部を用いてライブビュー表示中に撮影動作を行った場合は、撮影確認画像を第１の表示部に第１の時間、表示するように制御し（図６の＃８７→＃８９→＃９３）、一方、第２の表示部を用いてライブビュー表示中に撮影動作を行った場合は、撮影確認画像を第２の表示部に第２の時間、表示するように制御する（図６の＃８７→＃８９→＃９１、＃８７→＃１０３→＃１０５→＃１０７）制御部（ボディＣＰＵ２５１）を有している。
【０１３０】
このように、本発明の一実施形態においては、撮影終了直後に撮影確認画像を第１または第２の表示部に表示するにあたって、レックビュー表示時間を異ならせている。このため、撮影状況にあったレックビュー表示を行うことができる。
【０１３１】
なお、本発明の一実施形態においては、アイセンサ３５３の検出出力に応じて、電子ファインダ４１と背面ＬＣＤ３９のいずれか一方にレックビュー表示を行うようにしていた。しかし、両方にレックビュー表示を行うようにし、この場合のレックビュー時間を異ならせるようにしても構わない。
【０１３２】
また、本発明の一実施形態においては、撮影のための機器として、デジタルカメラを用いて説明したが、カメラとしては、デジタル一眼レフカメラでもコンパクトデジタルカメラでもよく、ビデオカメラ、ムービーカメラのような動画用のカメラでも構わない。いずれにしても、第１及び第２の表示部を有し、レックビュー表示可能な撮影装置であれば、本発明を適用することができる。
【０１３３】
また、特許請求の範囲、明細書、および図面中の動作フローに関して、便宜上「まず」、「次に」等の順番を表現する言葉を用いて説明したとしても、この順で実施することが必須であることを意味するものではない。
【０１３４】
本発明は、上記実施形態にそのまま限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素の幾つかの構成要素を削除してもよい。さらに、異なる実施形態にわたる構成要素を適宜組み合わせてもよい。
【符号の説明】
【０１３５】
２２・・・前ダイアル、２３・・・後ダイアル、３１・・・ＬＶ表示釦、３２・・・十字釦、３３・・・ＯＫ釦、３４・・・パワースイッチ、３５・・・メニュー釦、３６・・・再生釦、３８・・・接眼部、３９・・・背面ＬＣＤ、４０・・・コントロールパネル、４１・・・電子ファインダ、５０・・・内蔵フラッシュ、１００・・・交換レンズ、１０１・・・撮影光学系、１０３・・・絞り、１０５・・・ピント位置検出機構、１０６・・・ズーム位置検出機構、１０７・・・光学系駆動機構、１０９・・・絞り駆動機構、１１１・・・レンズＣＰＵ、１１３・・・レンズＲＯＭ、１１５・・・レンズＲＡＭ、２００・・・カメラ本体、２１２・・・発光許可信号回路、２１３・・・シャッタ、２１５・・・防塵フィルタ、２１７・・・ローパスフィルタ、２２１・・・撮像素子、２２３・・・撮像素子駆動回路、２２５・・・前処理回路、２２７・・・傾きセンサ、２２８・・・傾き検知回路、２２９・・・手ブレセンサ、２３０・・・手ブレ補正回路、２３１・・・シフト機構駆動回路、２３３・・・シフト機構、２３５・・・防塵フィルタ駆動回路、２３７・・・シャッタ駆動機構、２４４・・・光源センサ、２４５・・・光源処理回路、２４６・・・照度センサ、２４７・・・照度処理回路、２４８・・・リモコン受信センサ、２４９・・・リモコン受信処理回路、２５０・・・ＡＳＩＣ、２５１・・・ボディＣＰＵ、２５２・・・バス、２５３・・・コントラストＡＦ回路、２５５・・・ＡＥ回路、２５７・・・画像処理回路、２５９・・・圧縮伸張回路、２６１・・・ビデオ信号出力回路、２６３・・・ＬＣＤ駆動回路、２６５・・・ＬＣＤ向き検知回路、２６８・・・スイッチ検知回路、２６９・・・各種スイッチ、２７１・・・入出力回路、２７３・・・通信回路、２７５・・・フラッシュメモリ制御回路、２７７・・・フラッシュメモリ、２７９・・・ＳＤＲＡＭ制御回路、２８１・・・ＳＤＲＡＭ、２８３・・・記録媒体制御回路、２８５・・・記録媒体Ａ、２８７・・・記録媒体Ｂ、２８９・・・ダイアル検知回路、２９１・・・電源供給回路、２９２・・・バッテリ、２９３・・・外部電源、２９７・・・コントロールパネル駆動回路、３０１・・・充電回路、３０３・・・フラッシュ発光回路、３０５・・・発光管、３１０・・・外部フラッシュ、３１０ａ・・・接点、３１０ｂ・・・接点、３１１・・・フラッシュＣＰＵ、３１３・・・充電回路、３１５・・・フラッシュ発光回路、３１７・・・発光管、３１８・・・反射笠、３１９・・・ズーム駆動回路、３２０・・・外部機器（ＰＣ）、３２０ａ・・・接点、３２１・・・機器ＣＰＵ、３３０・・・外部表示装置（ＴＶ）、３３０ａ・・・接点、３３１・・・表示装置駆動回路、３３３・・・表示装置、３４１・・・通信接点、３５１・・・ＥＶＦ用ＬＣＤ、３５２・・・接眼レンズ、３５３・・・アイセンサ
【図３】
2013162267.tif 000003
【図１】
2013162267.tif 000004
【図２】
2013162267.tif 000005
【図４】
2013162267.tif 000006
【図５】
2013162267.tif 000007
【図６】
2013162267.tif 000008
【図７】
2013162267.tif 000009
【図８】
2013162267.tif 000010